(57)【要約】【課題】回転ドラム内の洗濯物を給水直後に速やかに濡らすことができ、洗い及び濯ぎ運転に要する時間を短縮することが可能な洗濯機を提供する。【解決手段】洗濯機は、給水管50、給水弁51及び給水ホース52を有し、洗い又は濯ぎ運転の前に、洗濯槽２内に洗い又は濯ぎ用の水を給水する給水路と、循環水管70、循環ポンプ71及び循環水ホース72とを有し、洗い又は濯ぎ運転中に、洗濯槽２内の貯留水Ｗを循環させる循環水路とを備えている。給水路及び循環水路は、洗濯槽２前部の投入口20の下位置に設けた共通の給水ヘッド８に接続してあり、給水路により給水される洗い又は濯ぎ用の水が、給水ヘッド８から洗濯槽２内に送り込まれ、回転ドラム３内の洗濯物を濡らし得るように構成する。【選択図】図２
2011250943.tif 000002
【特許請求の範囲】
【請求項１】
有底円筒形をなす洗濯槽と、該洗濯槽の内部に給水源からの給水を供給する給水路と、前記洗濯槽の内部の貯留水を外部に引き出し、該洗濯槽内に還流する循環水路とを備える洗濯機において、
一側を前記給水路に、他側を前記循環水路に夫々接続してあり、前記洗濯槽の内部に向けて開口する給水口を有し、一側を前記給水路に、他側を前記循環水路に夫々接続してある筒形の給水ヘッドと、
該給水ヘッドと前記給水路及び循環水路との接続部に夫々介装してあり、前記給水ヘッド内への流入のみを許容する逆止弁とを備えることを特徴とする洗濯機。
【請求項２】
前記給水ヘッドの給水口は、前記洗濯槽の一側に設けた洗濯物の投入口から該洗濯槽の内部に臨ませてある請求項１に記載の洗濯機。
【請求項３】
前記給水ヘッドの給水口は、前記洗濯槽内の異なる方向に向くように開設された複数の噴出孔を備える請求項１又は請求項２に記載の洗濯機。
【請求項４】
前記逆止弁は、前記給水ヘッドの端部に嵌着された弁筒と、該弁筒内に一体形成してあり、前記給水ヘッドに向かう流れの作用により弾性変形して前記弁筒の内部通路を開放するフラップ状の弁体とを備える請求項１から請求項３のいずれか１つに記載の洗濯機。
【発明の詳細な説明】
【技術分野】
【０００１】
本発明は、洗い又は濯ぎ運転中に洗濯槽内の貯留水を循環使用するための循環水路を備える洗濯機に関する。
【背景技術】
【０００２】
ドラム式の洗濯機は、有底円筒形の洗濯槽を一側の開口を横向き又は斜め横向きとした姿勢で支持し、該洗濯槽の内部に有底円筒形の回転ドラムを一側の開口を洗濯槽の開口と同側に向けて同軸上での回転自在に支持した構成となっている。洗濯物は、洗濯槽の開口を経て回転ドラムの内部に投入され、洗濯槽の底部の貯留水中に浸されて、回転ドラムの回転による持ち上げ及び落下を繰り返すことで洗濯（洗い及び濯ぎ）され、その後の脱水及び乾燥を経て仕上げられる。
【０００３】
この種のドラム式の洗濯機の多くは、洗い又は濯ぎ用の水を洗濯槽の内部に給水する給水路を備えると共に、洗濯槽内の貯留水を循環使用するための循環水路を備えている（例えば、特許文献１参照）。この循環水路は、洗濯槽の底部に開口する排水口に接続された排水路の途中で分岐され、循環ポンプを経て洗濯槽内に戻るように設けてある。循環ポンプは、洗い又は濯ぎ運転中に駆動される。洗濯槽内の貯留水は、循環ポンプに吸い込まれて加圧され、循環水路の末端に設けたシャワーノズルを経て、洗濯槽及び回転ドラム内に噴射される。このような循環水路を備えることにより、循環する洗濯水又は濯ぎ水により洗濯物を良好に濡らすことができ、洗い又は濯ぎ効果を高めることができる。
【先行技術文献】
【特許文献】
【０００４】
【特許文献１】特開２００８−５４８２６号公報
【発明の概要】
【発明が解決しようとする課題】
【０００５】
さて、以上の如きドラム式の洗濯機の洗い運転は、洗剤を含んだ所定量の洗濯水を給水路を経て洗濯槽の内部に給水した後に開始される。しかしながら、給水路により給水される洗濯水の量は、洗濯槽及び回転ドラムの底部にわずかに溜まり、回転ドラム内の洗濯物を濡らすには不十分な量であり、回転ドラム内の洗濯物は、洗い運転が開始された後、前述した如く循環される洗濯水により濡らされることから、洗濯水中の洗剤成分による洗い効果が生じるまでに時間を要し、洗い運転の所要時間を短縮することが難しいという問題がある。
【０００６】
この問題は、洗剤を含まない濯ぎ水を給水して実施される濯ぎ運転においても同様に発生する。濯ぎ運転は、濯ぎ水を入れ換えて複数回実施されるが、各回の濯ぎ運転において濯ぎ水により洗濯物が十分に濡らされるまでの時間が長いことから、濯ぎ運転に長い時間を要することになる。
【０００７】
更に濯ぎ運転においては、濯ぎ水の給水前に回転ドラムを高速回転させて洗濯物に含まれる水を脱水しており、脱水後の洗濯物は、回転ドラムの内面に張り付いた状態にあり、濯ぎ水により濡れることで剥がれ落ち、この後に、前述した回転ドラムの回転による洗濯物の持ち上げ及び落下が生じて濯ぎが実行されることとなる。このように、濯ぎ運転においては、脱水後の洗濯物の剥がれ落ちに要する時間が所要時間に含まれることから、運転時間が一層長くなるという問題がある。
【０００８】
本発明は斯かる事情に鑑みてなされたものであり、回転ドラム内の洗濯物を給水直後に速やかに濡らすことができ、洗い及び濯ぎ運転に要する時間を大幅に短縮することが可能な洗濯機を提供することを目的とする。
【課題を解決するための手段】
【０００９】
本発明に係る洗濯機は、有底円筒形をなす洗濯槽と、該洗濯槽の内部に給水源からの給水を供給する給水路と、前記洗濯槽の内部の貯留水を外部に引き出し、該洗濯槽内に還流する循環水路とを備える洗濯機において、一側を前記給水路に、他側を前記循環水路に夫々接続してあり、前記洗濯槽の内部に向けて開口する給水口を有し、一側を前記給水路に、他側を前記循環水路に夫々接続してある筒形の給水ヘッドと、該給水ヘッドと前記給水路及び循環水路との接続部に夫々介装してあり、前記給水ヘッド内への流入のみを許容する逆止弁とを備えることを特徴とする。
【００１０】
本発明においては、給水路及び循環水路が、洗濯槽の内部に向けて開口する給水口を有する共通の給水ヘッドに接続してある。給水源からの給水は、前記給水ヘッドを経て、循環水路による循環水と同様に洗濯槽内に供給され、回転ドラム内に収容された洗濯物を、直接的に、しかも速やかに濡らし、洗濯水による洗い効果及び濯ぎ水による濯ぎ効果を給水直後から良好に発揮させ、洗い及び濯ぎ運転の所要時間を短縮する。給水路からの給水は、給水ヘッドとの接続部に介装した逆止弁の作用により、循環水路に漏れ出すことなく洗濯槽内に確実に供給される。循環水路による循環水も同様に、逆止弁の作用により洗濯槽内に確実に供給される。
【００１１】
また本発明に係る洗濯機は、前記給水ヘッドの給水口が、前記洗濯槽の一側に設けた洗濯物の投入口から該洗濯槽の内部に臨ませてあることを特徴とする。
【００１２】
この発明において、給水ヘッドの給水口は、洗濯物の投入口から洗濯槽の内部に臨ませてあるため、給水路からの洗濯水又は濯ぎ水の給水は、前記給水口を経て洗濯槽内に確実に送り込まれ、回転ドラム内の洗濯物を良好に濡らすことができる。
【００１３】
また本発明に係る洗濯機は、前記給水ヘッドの給水口は、前記洗濯槽内の異なる方向に向くように開設された複数の噴出孔を備えることを特徴とする。
【００１４】
この発明において、給水ヘッドは、洗濯槽内の異なる方向に向くように開設された複数の噴出孔を給水口として備えており、給水路からの洗濯水又は濯ぎ水の給水は、複数の噴出孔から洗濯槽の内部全体に行き渡るように噴射され、回転ドラム内に内の洗濯物を良好に濡らすことができる。
【００１５】
また本発明に係る洗濯機は、前記逆止弁が、前記給水ヘッドの端部に嵌着された弁筒と、該弁筒内に一体形成してあり、前記給水ヘッドに向かう流れの作用により弾性変形して前記弁筒の内部通路を開放するフラップ状の弁体とを備えることを特徴とする。
【００１６】
この発明においては、弁筒の内部にフラップ状の弁体を一体形成してあり、前記弁筒を給水ヘッドの端部に嵌着することで取り付け可能な逆止弁を使用し、簡素な構成と、組立ての容易性とを併せて実現する。この種の逆止弁は、逆向きの流れを完全に止めることは難しいが、給水路による給水と、循環水路による循環水とは同時に生じることはなく、わずかな水の漏れは問題にならない。
【発明の効果】
【００１７】
本発明に係る洗濯機においては、洗い又は濯ぎ運転の開始前に洗濯水又は濯ぎ水が、循環水路と共通の給水ヘッドを経て洗濯槽内に給水されるから、回転ドラム内に投入された洗濯物を給水段階において良好に濡らし、洗い又は濯ぎ運転の開始直後から良好な洗い又は濯ぎ効果を得ることができ、洗い又は濯ぎ運転の所要時間を大幅に短縮することが可能となる等、本発明は優れた効果を奏する。
【図面の簡単な説明】
【００１８】
【図１】本発明に係る洗濯機の外観を略示する斜視図である。
【図２】本発明に係る洗濯機の内部構成を略示する縦断面図である。
【図３】給水ヘッドの取り付け部分を略示する正面図である。
【図４】逆止弁の動作説明図である。
【図５】逆止弁の動作説明図である。
【発明を実施するための形態】
【００１９】
以下本発明をその実施の形態を示す図面に基づいて詳述する。図１は、本発明に係る洗濯機の外観を略示する斜視図、図２は、本発明に係る洗濯機の内部構成を略示する縦断面図である。
【００２０】
図２に示すように本発明に係る洗濯機は、外装を構成する外箱１の内部に、洗濯槽２及び回転ドラム３を備えている。洗濯槽２は、一側の略全面に洗濯物の投入口20を備える大径の有底円筒体であり、外箱１の底面に立設された複数本の支持脚（図示を省略する）により、図示のように、前記投入口20の側を上として軸心を斜め横向きとした姿勢で弾性支持されている。
【００２１】
回転ドラム３は、洗濯槽２よりもやや小径の有底円筒体である。洗濯槽２の底面外側には、回転ドラム３を駆動するドラムモータ４が固設してある。回転ドラム３は、一側の開口30を洗濯槽２の投入口20の内側に臨ませ、その底部を洗濯槽２の内側に突出するドラムモータ４の出力軸40に連結して支持されている。このように支持された回転ドラム３は、ドラムモータ４の駆動により、洗濯槽２の内部において同軸上にて回転する。
【００２２】
回転ドラム３の周壁には、小径の通水孔32が全面に亘って多数貫通形成されており、更に、回転ドラム３の周壁内面には、軸長方向に延びるバッフル33が、周方向に等配をなして複数突設されている。なお図２中には、多数の通水孔32のうちの一部と、複数のバッフル33が図示されている。
【００２３】
外箱１の前面（図２の左側面）には、洗濯槽２の投入口20を臨む位置に、前蓋10により開閉自在に開口11が開設されている。外箱１の開口11と洗濯槽２の投入口20との間は、ゴム等の弾性材料製のベローズ（図示を省略する）により液密に封止されている。
【００２４】
図１に示すように、前蓋10は、横位置に設けたヒンジ（図示を省略する）を中心として開閉可能に取り付けてある。外箱１の前面には、前蓋10の近傍にドア開ボタン13が設けてあり、前蓋10は、ドア開ボタン13の操作により開放される。また前蓋10は、周縁部を把持して投入口20に合わせ、前記ヒンジの逆位置に設けた押圧部14を外側から押すことにより閉止され、前記投入口20を塞ぐように閉止される。
【００２５】
外箱１前面の上部には、各種の操作のための操作キー及び各種の表示のための表示部を備える操作パネル15が設けてある。該操作パネル15は、これの内側に位置して外箱１の内部に設けた運転制御部16に接続してあり、後述する洗い運転、濯ぎ運転及び脱水運転は、操作パネル15の操作に応じた運転制御部16の動作により、個々に独立した運転、又は相互に関連した一連の運転として実行される。
【００２６】
本発明に係る洗濯機は、洗い又は濯ぎ運転前に洗濯槽２の内部に給水源からの給水を送り込む給水路と、洗い又は濯ぎ運転中に洗濯槽２の内部の貯留水を循環させる循環水路と、洗い又は濯ぎ運転の終了後に洗濯槽２の内部の貯留水を機外に排水する排水路とを備えている。本発明の特徴は、給水路及び循環水路の構成にある。
【００２７】
給水路は、給水管50、給水弁51及び給水ホース52を備えている。図１に示すように、給水管50は、外箱１の後部上面に突出するように設けてあり、図２に示すように、外箱１の内側において給水弁51の入側に接続してある。給水管50は、外箱１の外部への突出部に耐圧ホースを介して給水源（水道）に接続可能である。給水弁51は、通常時には閉状態にあり、洗い又は濯ぎ運転時に運転制御部16から与えられる動作指令に応じて開となる電磁弁であり、該給水弁51の出側には、給水ホース52の一端が接続してある。給水ホース52は、洗濯槽２の外側において前下方に延設され、洗濯槽２の前部に設けた投入口20の下部周縁に取り付けられた給水ヘッド８に接続してある。
【００２８】
給水弁51が開放された場合、給水管50に接続された給水源からの給水は、給水ホース52の内部を流れて給水ヘッド８に達し、該給水ヘッド８から後述の如く洗濯槽２の内部に供給される。この給水は、前述した通水孔32，32…を経て回転ドラム３内にも浸入して、図２に示すように、洗濯槽２及び回転ドラム３の底部に貯留水Ｗとして溜まる。
【００２９】
排水路は、排水管60、フィルタ装置61、排水弁62及び排水ホース63を備えている。排水管60は、洗濯槽２の最下部に開設された排水口に接続されて下方に延設され、フィルタ装置61の入口に接続されている。図２中に円形のブロックにより略示するフィルタ装置61は、繊維屑を捕捉するリントフィルタを筒形のフィルタケース内に収容保持してなる公知の構成を有している。フィルタ装置61は、２つの出口を有しており、一方の出口は、排水弁62を介して排水ホース63に接続されている。排水ホース63は、外箱１の底面に沿って敷設され、機外に延びている。
【００３０】
排水弁62は、洗い又は濯ぎ運転中に運転制御部16から与えられる動作指令に応じて閉となる電磁弁である。洗濯槽２及び回転ドラム３内の貯留水Ｗは、洗い又は濯ぎ運転の終了後に排水弁62が開放されることにより、排水管60、フィルタ装置61及び排水ホース63を経て機外に排水される。フィルタ装置61は、排水中に含まれる繊維屑を捕捉、除去し、排水と共に繊維楠が排出されることを防止する作用をなす。
【００３１】
循環水路は、循環水管70、循環ポンプ71及び循環水ホース72を備えている。循環水管70は、フィルタ装置61の他方の出口を循環ポンプ71の吸込口に連結している。循環水ホース72は、循環ポンプ71の吐出口を前記給水ヘッド８に連結している。
【００３２】
循環ポンプ71は、洗い又は濯ぎ運転中に運転制御部16からの動作指令に応じて駆動される。この駆動により洗濯槽２内の貯留水Ｗは、排水管60、フィルタ装置61及び循環水管70を経て循環ポンプ71に吸い込まれ、該循環ポンプ71内で加圧され、循環水ホース72の内部を流れて給水ヘッド８に達し、該給水ヘッド８から後述の如く洗濯槽２の内部に戻されて循環せしめられる。フィルタ装置61は、このような循環水中に含まれる繊維屑も捕捉、除去し、洗濯槽２及び回転ドラム３内に戻されることを防止する作用をなす。
【００３３】
図３は、給水ヘッド８の取り付け部分を略示する正面図である。本図に示すように、給水ヘッド８は、円形断面を有する管体であり、軸長方向の両端部に給水ホース52及び循環水ホース72の接続が可能な接続部80，80を備え、また中央部に、周壁を貫通するように形成され、給水口としての多数の噴出孔81，81…を備えている。
【００３４】
このように構成された給水ヘッド８は、図中に２点鎖線により示す洗濯槽２前部の投入口20の下位置を水平方向に貫通し、多数の噴出孔81，81…を備える給水口の形成部分が洗濯槽２の内部に位置し、また接続部80，80が設けられた両端が洗濯槽２の外側に突出するように取り付けてある。給水ホース52及び循環水ホース72は、図示のように、洗濯槽２の両側に突出する接続部80，80に夫々嵌め合わせ、例えば、夫々の外側を環状のホースバンド（図示を省略する）で締め付けることにより給水ヘッド８に接続されている。
【００３５】
また給水ヘッド８の両端の接続部80，80には、逆止弁９，９が取り付けてある。図示の逆止弁９は、接続部80に内嵌された円筒形の弁筒90と、該弁筒90内に設けたフラップ状の弁体91とを備える樹脂成形品である。弁筒90は、略中央部の内面に内向きに張り出すように周設されたフランジ状の弁座92を備えており、弁体91は、弁座92の一側に重ね、該弁座92と周方向の一部を連結して形成されている。このような弁体91は、例えば、前記弁座92と共に弁筒90と一体成形し、連結部分を除いて弁座92から切り離すことにより容易に構成することができる。
【００３６】
逆止弁９は、図３に示すように、対応する接続部80に弁筒90を、弁体91の側を奥として内嵌することにより給水ヘッド８に取り付けてある。図４及び図５は、逆止弁９の動作説明図である。
【００３７】
給水ヘッド８には、前述したように、一側の接続部80に接続された循環ホース72から循環水が送り込まれ、図４中に白抜矢符により示すように、同側の逆止弁９の弁体91を給水ヘッド８の内側に向けて押圧する。この押圧により弁体91は、図４に示すように、弁座92と連結部を支えとして変形して弁座92から離反した開状態となり、循環ホース72と給水ヘッド８とが連通されるから、循環水は、給水ヘッド８内に流れ込む。
【００３８】
このように流れ込む循環水は、他側の逆止弁９の弁体91も押圧するが、この押圧力は、給水ヘッド８の外側に向けて作用するため、前記弁体91は、弁筒90内面の弁座92に押し付けられた閉状態となる。従って、循環水は、給水ホース52内に流出せず、給水ヘッド８に設けられた多数の噴出孔81，81…から噴出する。噴出孔81，81…は、洗濯槽２の内部に向けて開口しており、各噴出孔81，81…から噴出する循環水は、洗濯槽２及び回転ドラム３の内部に送り込まれる。
【００３９】
図３及び図４に示すように、噴出孔81，81…は、給水ヘッド８の軸長方向の中心部から放射状に外向きに拡がるように異なる方向に向けて開設されている。また噴出孔81，81…は、給水ヘッド８の周方向においても放射状に拡がるように設けられている。従って、給水口としての噴出孔81，81…から噴出する循環水は、図２及び図４中に矢符により示す如く、洗濯槽２及び回転ドラム３の内部全体に拡がるように送り込まれる。
【００４０】
一方給水ヘッド８には、他側の接続部80に接続された給水ホース52から、洗い又は濯ぎに使用する水が送り込まれる。この給水は、図５中に白抜矢符により示すように、同側の逆止弁９の弁体91に作用し、該弁体91を開とし、他側の逆止弁９の弁体91を閉とする。従って、給水ホース52からの給水も、図２及び図５中に矢符により示すように、給水ヘッド８に開設された噴出孔81，81…から噴出し、洗濯槽２及び回転ドラム３の内部全体に拡がるように送り込まれる。
【００４１】
以上の如く構成された洗濯機の洗い運転は、前蓋10を開放して回転ドラム３の内部に洗濯物を投入し、前蓋10を閉止した後、給水弁51を開とし、洗濯槽２の内部に洗濯水を給水し、ドラムモータ４を駆動して回転ドラム３を低速度にて反復回転させることにより実行される。なお、洗濯水は、適量の洗剤が溶けた水であり、回転ドラム３内に洗濯物と共に洗剤を投入し、この洗剤を、該回転ドラム３内への給水により溶かすことにより生成してもよく、また公知にように、給水ホース52の途中に洗剤ケースを配し、給水ホース52内を流れる水を洗剤ケース内に通すことにより、該洗剤ケース内に予め供給した洗剤を溶かしつつ洗濯槽２内に給水してもよい。
【００４２】
このように給水される洗濯水は、洗濯槽２及び回転ドラム３の内部に貯留水Ｗとして溜まり、この状態で回転ドラム３が回転した場合、洗濯物は、回転ドラム３の内周面に突設されたバッフル33の作用による持ち上げ及び落下を繰り返し、回転ドラム３の内周面に叩き付けられて洗浄される。
【００４３】
本発明に係る洗濯機において、洗い運転の前に給水される洗濯水は、給水ホース52を経て給水ヘッド８に達し、該給水ヘッド８から、前述したように洗濯槽２及び回転ドラム３の内部全体に拡がるように送り込まれる。従って、回転ドラム３内の洗濯物は、給水ヘッド８から送り込まれる洗濯水により、速やかに、しかも確実に濡らすことができ、洗濯水内に含まれる洗剤成分による洗濯効果が、給水開始直後であって、回転ドラム３の回転開始前に発揮され、前述した洗い運転の所要時間を短縮することが可能となる。
【００４４】
循環ポンプ71は、以上の洗い運転中に駆動され、洗濯槽２内の貯留水Ｗを吸い込み、加圧して、循環水ホース72を経て給水ヘッド８に送給し、該給水ヘッド８から洗濯槽２内に送り込む。この循環水も同様に、洗濯槽２及び回転ドラム３の内部全体に拡がるように送り込まれ、回転ドラム３内の洗濯物に均等に降り注ぐから、洗浄効果を高めることが可能となる。
【００４５】
また濯ぎ運転は、以上の洗い運転を終え、洗濯槽２内の洗濯水を排水した後、給水弁51を開とし、洗剤を含まない濯ぎ水を給水して、回転ドラム３を低速回転せしめて実行される。回転ドラム３内の洗濯物は、濯ぎ水により濡らされ、回転ドラム３内での持ち上げ及び落下をくり変えることで濯がれる。なお、この濯ぎ運転は、濯ぎ水を入れ換えて、通常複数回実施される。
【００４６】
本発明に係る洗濯機においては、濯ぎ運転の前に給水される濯ぎ水も同様に、給水ホース52を経て給水ヘッド８に達し、該給水ヘッド８から洗濯槽２及び回転ドラム３の内部全体に拡がるように送り込まれる。従って、回転ドラム３内の洗濯物は、給水ヘッド８から送り込まれる濯ぎ水により、給水段階において速やかに、しかも確実に濡らされ、給水開始直後から濯ぎ効果が発揮されるから、濯ぎ運転の所要時間も短縮することができる。
【００４７】
また以上の濯ぎ運転前には、濯ぎ効果を高めることを目的として、洗濯物に含まれる水を一旦脱水するための脱水運転が実施される。この脱水運転は、排水弁62を開放した状態で、回転ドラム３を高速回転せしめて行われ、回転ドラム３内の洗濯物は、該回転ドラム３の内周面に張り付いた状態で回転し、該洗濯物に含まれる水は、遠心力の作用により離脱して、回転ドラム３の周壁に設けた通水孔32，32…から洗濯槽２内に排出され、排水管60及び排水ホース63を経て機外に排出される。
【００４８】
このような脱水運転を実施する場合、回転ドラム３内の洗濯物は、該回転ドラム３の内周面に張り付いた状態で残ることがあり、この状態で濯ぎ運転を開始した場合、洗濯物が剥がれ落ちるまでの間に濯ぎ効果が得られないという問題がある。
【００４９】
本発明の洗濯機においては、前述したように、給水ヘッド８から洗濯槽２及び回転ドラム３の内部全体に拡がるように濯ぎ水が送り込まれ、この濯ぎ水は、回転ドラム３の内周面に張り付いた洗濯物も濡らし、該洗濯物の剥がれ落ちを促進するから、この剥がれ落ちに要する時間を含めた濯ぎ運転の所要時間を一層短縮することが可能となる。
【００５０】
循環ポンプ71は、以上の濯ぎ運転中にも駆動され、洗濯槽２内の貯留水Ｗを吸い込み、加圧して、循環水ホース72を経て給水ヘッド８に送給し、該給水ヘッド８から洗濯槽２内に送り込む。このように循環使用される濯ぎ水も、洗濯槽２及び回転ドラム３の内部全体に拡がるように送り込まれ、回転ドラム３内の洗濯物に均等に降り注ぐから、濯ぎ効果を高めることが可能となる。
【００５１】
なお、以上の実施の形態においては、給水ヘッド８を洗濯槽２前部に設けた投入口20の下位置に設けてあるが、給水ヘッド８は、投入口20の上位置、横位置等、洗濯槽２の内部を臨み得る位置に設けることができる。また以上の実施の形態においては、洗濯槽２及び回転ドラム３が、水平面に対して傾いた斜め姿勢に支持された洗濯機、所謂、斜めドラム式の洗濯機について説明したが、本発明は、洗濯槽２及び回転ドラム３が横姿勢に支持された洗濯機、所謂、横ドラム式の洗濯機にも適用可能であることは言うまでもない。
【符号の説明】
【００５２】
２    洗濯槽
３    回転ドラム
８    給水ヘッド
９    逆止弁
20    投入口
50    給水管
51    給水弁
52    給水ホース
70    循環水管
71    循環ポンプ
72    循環水ホース
81    噴出孔（給水口）
90    弁筒
91    弁体
【図１】
2011250943.tif 000003
【図２】
2011250943.tif 000004
【図３】
2011250943.tif 000005
【図４】
2011250943.tif 000006
【図５】
2011250943.tif 000007